(57)【特許請求の範囲】
【請求項１】
内容物を収納する充填空間を有し、口部に密封シートを貼着して該充填空間を液密状態に保持する容器本体と、密封シートを覆い隠して容器本体の口部に固定保持されるオーバーキャップとを備えた容器であって、
前記オーバーキャップが、容器本体の口部に沿う環状側壁と、この環状側壁の上端に一体連結される天面壁からなり、
該天面壁に、密封シートの破断により内容物の注出口を形成する貫通開口と、この貫通開口に隣接するとともに該天面壁との相互間にて段下がり領域を形成する区画凹所を設け、
該区画凹所に、ヒンジを介して揺動可能に支持され、貫通開口を通して振り下ろし可能な開封刃と、この開封刃の後端部でヒンジを介して揺動可能に支持され、その引き起こしにより該開封刃を振り下ろして該密封シートを破断する操作レバーを配設してなり、
前記貫通開口の側壁部に、該開封刃の上端面に当接して該開封刃の振り下ろし姿勢をそのまま維持するストッパーを設け、
前記ストッパーは、開封刃の側方に形成された凸部を入れ込み、該開封刃の振り下ろしにより該凸部の上端面を当接させる縦溝からなるオーバーキャップ付き容器。
【請求項２】
前記操作レバーは、その側方に、区画凹所の側壁に設けられた縦リブを位置せしめて該操作レバーの初期姿勢を維持する切欠部を有する請求項１に記載のオーバーキャップ付き容器。
【発明の詳細な説明】
【技術分野】
【０００１】
本発明は、オーバーキャップ付き容器に関するものであり、該容器の開封時における手指と内容物との接触、飛散を確実に回避し、開封操作のより一層の改善を図ろうとするものである。
【背景技術】
【０００２】
コーヒーや紅茶等の飲料は、近年、内容物の味や風味を良好に維持するために無菌充填システムが採用されてきており、それに用いる容器としては、その本体部分をコップ状とし、その口部にフィルム状の密封シートを貼り付けるとともに、さらに該密封シートを保護するためにその外側にオーバーキャップを装着したものが一般的な構成になっている。
【０００３】
この種の容器は、容器の胴体にストローが備えつけられていて、該ストローを、オーバーキャップに形成されている孔から差し入れ、その先端部で密封シートを突き破ることで容器内の内容物を吸引するようにしている。
【０００４】
また、最近では、ウオーマーにより内容物が加温されるようになってきていることからストローの使用が困難で、オーバーキャップの押し下げ片を利用して密封シートをワンタッチで切り開き、該オーバーキャップに形成された飲み口から直接、内容物を飲むタイプの容器も提案されている（例えば、特許文献１参照）。
【特許文献１】特開2004−359314号公報
【０００５】
ところで、とくに、密封シートをワンタッチで切り開くタイプの容器は、押し下げ片を操作する際の力加減によっては内容物が飛び散ることがあり、また、指先の触れた押し下げ片が内容物に漬かってしまうとともに、勢いあまって指先が内容物に触れてしまうことがあり衛生面においても好ましいものとは言えず、その解決が求められていた。
【発明の開示】
【発明が解決しようとする課題】
【０００６】
本発明の課題は、内容物の飛び散りをなくし、衛生的に開封できる新規なオーバーキャップ付きの容器を提案するところにある。
【課題を解決するための手段】
【０００７】
本発明は、内容物を収納する充填空間を有し、口部に密封シートを貼着して該充填空間を液密状態に保持する容器本体と、密封シートを覆い隠して容器本体の口部に固定保持されるオーバーキャップとを備えた容器であって、
前記オーバーキャップが、容器本体の口部に沿う環状側壁と、この環状側壁の上端に一体連結される天面壁からなり、
該天面壁に、密封シートの破断により内容物の注出口を形成する貫通開口と、この貫通開口に隣接するとともに該天面壁との相互間にて段下がり領域を形成する区画凹所を設け、
該区画凹所に、ヒンジを介して揺動可能に支持され、貫通開口を通して振り下ろし可能な開封刃と、この開封刃の後端部でヒンジを介して揺動可能に支持され、その引き起こしにより該開封刃を振り下ろして該密封シートを破断する操作レバーを配設してなり、
前記貫通開口の側壁部に、該開封刃の上端面に当接して該開封刃の振り下ろし姿勢をそのまま維持するストッパーを設け、
前記ストッパーは、開封刃の側方に形成された凸部を入れ込み、該開封刃の振り下ろしにより該凸部の上端面を当接させる縦溝からなるオーバーキャップ付き容器である。
【０００９】
前記操作レバーの側方には、区画凹所の側壁に設けられた縦リブを位置せしめて該操作レバーの初期姿勢を維持する切欠部を設けるのが望ましい。
【発明の効果】
【００１０】
操作レバーの引き起こしにより開封刃はヒンジを支点にして振り下ろされ、この振り下ろしによって密封シートは押し切られることになる。密封シートの押し切りは操作レバーの引き起こし速度に依存し、該操作レバーの緩慢な操作を行うことで徐々に開封することができるので内容物が飛散することはない。
【００１１】
また、密封シートを押し切ったのちの開封刃はストッパーによりその姿勢をそのまま維持することになるので、内容物を注出すべく容器を傾倒させても該開封刃が揺れ動くことはなく、内容物の安定した注出が可能となる。
【発明を実施するための最良の形態】
【００１２】
以下、図面を用いて本発明をより具体的に説明する。
図1(a)(b)は本発明に従うオーバーキャップ付き容器の参考図であり、図2はその要部の外観斜視図（一部断面表示してある。）である。
【００１３】
図における1はコップ状の容器本体である。この容器本体1は内容物を収納する充填空間mを有し、その口部1aのフランジfに密封シート(アルミ製のシート等)2が貼着されていて、この密封シート2によって充填空間mを液密状態に保持する。
【００１４】
また、3は密封シート2を覆い隠して容器本体1の口部1aに着脱自在に固定保持されるオーバーキャップである。このオーバーキャップ3は密封シート2に距離を隔てて対面する天面壁部3aと、この天面壁部3aの縁部に一体連結するとともに密封シート2を囲撓する周壁3bからなり、天面壁部3aには内容物の注出口を形成する貫通開口3a１と、この貫通開口3a１に隣接するとともに天面壁3aとの相互間で段下がり領域を形成する区画凹所3a２が設けられている。オーバーキャップ3には図示はしないが必要に応じてオーバーキャップ3の上に被さるカバーキャップが設けられる。
【００１５】
また、4は区画凹所3aで貫通開口3a１に面して設けられたL字状断面をなす開封刃である。この開封刃4は刃部4aと、この刃部4aを一体的に保持する本体部分4bからなっており、その本体部分4bは区画凹所3a２の底壁においてヒンジhを介して揺動可能に連結されている。
【００１６】
また、5は区画凹所3a２の底壁においてヒンジh１を介して揺動可能に支持された操作レバーである。この操作レバー5はその先端部5aが開封刃4の本体部分4bの後端に位置しており、バージンタイプの連結片5bを切り離しつつそれを引き起こすことにより開封刃4を振り下ろすことができるようになっている。
【００１７】
さらに、6は操作レバー5の側方に設けられた切欠部、7は区画凹所3a１の側壁に設けられた縦リブである。縦リブ7は操作レバー5の初期姿勢において切欠部6に位置しており、不用意な力が操作レバー5に作用しても引き上げることができない（開封のための力を付加して縦リブ7が切欠部6を乗り越えて抜け出すことで引き上げが可能になっている。）ようになっている。
【００１８】
8は貫通開口3a１の側壁部に設けられたストッパー（縦リブとして表示してある。）、9は開封刃4の本体部分4bの側方に設けられた切欠部である。ストッパー8は密封シート2の押し切り前においては本体部分4bの切欠部9に入り込んでおり、開封刃4が振り下ろされたのちにおいては該切欠部9から抜け出し（弾性変形を伴う抜け出し。）本体部分4bの上端面に当接して開封刃4の振り下ろし姿勢をそのまま維持する。
【００１９】
容器を開封すべく、操作レバー5を引き起こすと（操作レバー5の引き起こしにより縦リブ7は切欠部6を乗り越えることができる。）、その先端部5aが開封刃4の本体部分4bを押圧しヒンジhを支点にして該開封刃4が振り下ろされ、これにより密封シート2が押し切られる。この引き起こし操作に際してストッパー8が切欠部9から抜け出し本体部分4bの上端面に該ストッパー8が当接することでその姿勢がそのまま維持される。
【００２０】
密閉シート2の押し切り後において縦リブ7を切欠部6に位置せしめる（操作レバー5を元の位置に戻す。）と、内容物を注出すべく容器を傾倒させても開封刃4、操作レバー5の何れも揺れ動くことはなくなり、内容物の安定した注出が可能となる。
【００２１】
図3(a)〜(e)に図１に示した容器の開封要領を示し、また、図4に容器の開封後における開封刃4の姿勢を示す。
【００２２】
図5〜7は本発明にしたがうオーバーキャップ付き容器の実施の形態を示した図である。図における符号10は開封刃4の側方に一体的に形成された凸部、11は貫通開口3a１の側壁部に設けられた縦溝としてのストッパーである。
【００２３】
上掲図5〜7に示した構成になる容器は、開封刃4が初期姿勢にあるとき（容器の開封前）は凸部10が図6のような状態にある（凸部10の側壁10aが縦溝11の溝壁11aに当接していてもよい。）が、図7に示すように該開封刃4を振り下ろすことで凸部10の角部10bを経てその上端面10cが縦溝11の溝壁11bに当接することとなり、これにより開封刃4の振り下ろし姿勢がそのまま維持される。なお、この例では、凸部10を開封刃4の両側に設けた場合について示したが、開封刃4の確実な係止が可能であるならば片側のみに設けてもよく、この点については限定されない。
【００２４】
本発明にしたがうオーバーキャップ付き容器は、合成樹脂を素材として構成できるもので、開封刃4及び操作レバー5を、オーバーキャップ3と一体的に成形することが可能であり、部材の組み立て作業が不要で、容器の効率的な製造が可能となる。
【００２５】
また、本発明にしたがうオーバーキャップ付き容器は、図8に示すようにオーバーキャップ3の上にカバーキャップ12を設けることができ、このようなカバーキャップ12を装着することにより操作レバー5、開封刃4の保護を図るとともに、飲み口部分を清潔に維持することが可能となる。
【産業上の利用可能性】
【００２６】
開封刃に触れたり、内容物の飛び散りを引き起こすことなしに容器の開封を可能としたオーバーキャップ付きの容器が提供できる。
【図面の簡単な説明】
【００２７】
【図１】(a)(b)は本発明にしたがうオーバーキャップ付き容器の参考図である。
【図２】図1に示した容器の要部の外観斜視図である。
【図３】(a)〜（e）は図1に示した容器の開封要領を示した図である。
【図４】図1に示した容器の開封状態を示した図である。
【図５】本発明にしたがうオーバーキャップ付き容器の実施の形態を示した図である。
【図６】図5に示した容器の要部外観斜視図である。
【図７】図5に示した容器の要部外観斜視図である。
【図８】カバーキャップを取りつけた状態を示した図である。
【符号の説明】
【００２８】
1 容器本体
1a   口部
2    密封シート
3    オーバーキャップ
4    開封刃
5    操作レバー
6    切欠部
7    縦リブ
8    ストッパー
9    切欠部
10   凸部
11  縦溝
12  カバーキャップ
f   フランジ
m   充填空間
【図１】
0005236237.tif 000002
【図２】
0005236237.tif 000003
【図３】
0005236237.tif 000004
【図４】
0005236237.tif 000005
【図５】
0005236237.tif 000006
【図６】
0005236237.tif 000007
【図７】
0005236237.tif 000008
【図８】
0005236237.tif 000009